(57)【要約】      （修正有）【課題】  ネジ止めを必要とせずにパネルを保持することができ、部品点数の減少が図れて組立作業性が向上し、かつ、シャッター全閉位置でパネル相互が接触しないようにし、その接触に起因したパネルの破損等を防止することができるパネルシャッターを得る。【解決手段】  左右一対のガイドレール１間を昇降する複数のパネル３と、ガイドレール１間を上昇してスプロケット８，９間を通過したパネル３を吊持収納する収納レール１３，１４とを備え、前記各パネル３の両側部にパネル保持枠４を個々に嵌め込んで両者を弾性的に接着剤５０で一体化し、それらのパネル保持枠４をパネル連繋チェーン１１，１２に連結すると共に、前記ガイドレール間１に下降したパネル３の全閉時に当該パネル３のそれぞれのパネル保持枠４相互が上下方向に当接して前記各パネルの相互は非接触となるように構成したものである。【選択図】        図３
2005344287.tif 000002
【特許請求の範囲】
【請求項１】
パネル昇降ガイド用開口を有する左右一対のガイドレールと、これらのガイドレール間を昇降する複数のパネルと、前記ガイドレールの上方に配置された左右一対のパネル昇降駆動系のスプロケットと、このスプロケットに噛合して前記ガイドレールの内部に垂下し、前記パネル相互をそれぞれの両側で連繋吊持しているパネル連繋チェーンと、前記ガイドレール間を上昇して前記スプロケット間を通過したパネルを吊持収納する収納レールとを備えたパネルシャッターにおいて、前記各パネルの両側部にパネル保持枠を個々に嵌め込んで両者間を弾性的に接着剤で一体化し、それらのパネル保持枠を前記パネル連繋チェーンに連結すると共に、前記ガイドレール間に下降したパネルの全閉時に前記パネル保持枠の相互が上下方向に当接して前記各パネルの相互は非接触となるように構成したことを特徴とするパネルシャッター。
【請求項２】
各パネル保持枠は、パネル連繋チェーンに吊りローラのローラ軸を介して連結され、ガイドレールのパネル昇降ガイド用開口に臨む各パネル毎の縦框と、各パネルの両側部に個々に嵌め込まれて当該パネルに弾性的に接着剤で結合され、前記縦框に前記ガイドレールの外側から止着具で着脱可能に連結されたパネル保持部材とからなっていることを特徴とする請求項１記載のパネルシャッター。
【請求項３】
各パネル保持枠は、シャッター全閉時に上下方向に隣り合うパネル間に隙間を形成して当該パネル同士を非接触状態に保持するパネル離間保持手段を有していることを特徴とする請求項１または請求項２記載のパネルシャッター。
【請求項４】
パネル離間保持手段は、各パネル保持枠の上下端部の少なくとも一方に突出形成され、上下方向へ隣り合う相手側のパネル保持枠の上下方向の端部に当接する突出部からなっていることを特徴とする請求項３記載のパネルシャッター。
【請求項５】
パネル離間保持手段は、縦框の上下端部の少なくとも一方端部を当該縦框に連結されたパネル保持部材の上下端部の少なくとも一方端より延ばして形成された突出部からなり、シャッター全閉位置で前記縦框の上下端部の少なくとも一方の前記突出部が、当該縦框と真直状に隣り合う相手側縦框の上下方向の端部に当接することで、上下方向に隣り合うパネル同士が非接触状態に保持されるようになっていることを特徴とする請求項３または請求項４記載のパネルシャッター。
【請求項６】
各パネル保持枠は、ガイドレール間でのパネル全閉動作時にガイドレール間で上下方向に隣り合う相手側のパネル保持枠内に嵌入して各パネルのパネル保持枠相互を真直状に合致させる横ずれ防止用のガイド部が設けられていることを特徴とする請求項１から請求項５のうちのいずれか１項記載のパネルシャッター。
【請求項７】
各パネルには、ガイドレール間を全閉した前記パネルの相互間を封止するシール材が設けられていることを特徴とする請求項１または請求項２記載のパネルシャッター。
【請求項８】
各パネルはガラス面板からなり、接着剤はシリコン系接着剤からなっていることを特徴とする請求項１から請求項５のうちのいずれか１項記載のパネルシャッター。
【発明の詳細な説明】
【技術分野】
【０００１】
この発明は、建物等の構築・構造物のシャッター開閉用開口を昇降開閉するパネルシャッターに係わり、特にパネルの保持構造を改良したパネルシャッターに関するものである。
【背景技術】
【０００２】
従来のパネルシャッターは、シャッター開閉用開口に起立配置され、対向面にパネル昇降ガイド用開口を有する左右一対のガイドレールと、これらのガイドレール間を昇降開閉する複数のパネルと、前記ガイドレールの上部に配置された左右一対のパネル昇降駆動系のスプロケットと、このスプロケットに噛合して前記ガイドレールの内部に垂下し、前記パネル相互をそれぞれの両側で連繋吊持しているパネル連繋チェーンと、前記ガイドレール間を上昇して前記スプロケット間を通過したパネルを吊持収納する収納レールとを備え、前記スプロケットの正逆回転駆動による前記パネル連繋チェーンの送り動作によって、前記各パネルを、前記ガイドレールに沿った直列姿勢の縦移動と、前記収納レールに沿った並列姿勢の横移動とに継送する構成となっている。
【０００３】
このような従来のパネルシャッターにおいて、前記各パネルはそれぞれパネル保持枠を有しており、このパネル保持枠は上下の横框と左右の縦框からなって前記各パネルの上下・左右にそれぞれネジ止めし、前記縦框をパネル連繋チェーンに吊りローラのローラ軸を介して連結し、パネルの昇降開閉時に前記縦框をガイドレールのパネル昇降ガイド用開口に昇降自在に嵌め込まれるようにしている。また、前記パネルとしてガラス面板を使用する場合、ガラス面板および当該ガラス面板に取り付けるガラス保持金具のそれぞれにボルト挿通用の穴をあけ、それらの穴にボルトを通してナットで締め付けることにより、前記ガラス面板とガラス保持金具とを固定しており、その固定に際しては、ガラス面板がガラス保持金具に直接当たらないように両者間にスポンジ等の緩衝材を介在させ、その緩衝材によってガラス面板に衝撃が伝わるのを軽減しているのが実状である。
【０００４】
なお、上記先行技術は当業者一般に知られた技術であって、文献公知発明に係るものではない。
【発明の開示】
【発明が解決しようとする課題】
【０００５】
従来のパネルシャッターは以上のように構成されているので、パネル保持枠が上下の横框と左右の縦框からなる場合、それらの横框と縦框をパネルの上下・左右に個々にネジ止めして組み付けなければならず、このため、前記パネル保持枠の枠組部品点数が多くなって組立作業に手間が掛かるという課題があった。特に、前記パネルとしてガラス面板を適用する場合には、そのガラス面板にボルト挿通用の穴あけ加工を施さなければならないばかりか、ガラス面板がガラス保持金具に直接当たらないように両者間に緩衝材を介在させているとはいえ、前記穴に通したボルトでガラス面板とガラス保持金具とを締め付け固定しているため、そのボルトを介して前記穴部分に応力が集中し、シャッターの繰り返し開閉動作によって前記ガラス面板が破損するおそれがあった。また、シャッター全閉時にガイドレール間で上下方向に隣り合うガラス面板の相互が当接することによっても、その当接時の衝撃でガラス面板が破損するおそれがあるなど、ガラス面板本来の強度を保つことができないという課題があった。さらに、前記ガラス面板が破損等した場合には当該ガラス面板を交換する必要があるが、その交換に際してはガイドレールを取り外さなければならず、このため、ガラス面板の交換作業に手間が掛かり、また、その交換作業時に破損していない他のガラス面板を傷つけるおそれがあった。
【０００６】
この発明は上記のような課題を解決するためになされたもので、ネジ止めを必要とせずにパネルを保持することができ、部品点数の減少が図れて組立作業性が向上し、かつ、シャッター全閉位置でパネル相互が接触しないようにし、その接触に起因したパネルの破損等を防止することができるパネルシャッターを提供することを目的とする。
【０００７】
また、この発明は、パネルを破損等により交換する際に、その都度、ガイドレールを取り外すことなく、既設ガイドレールの外部からパネルの交換を容易に行うことができるパネルシャッターを提供することを目的とする。
【０００８】
さらに、この発明は、シャッター全閉時に上下方向に隣り合うパネル間に隙間が形成されて当該パネル同士を非接触状態に保持することができるパネルシャッターを提供することを目的とする。
【０００９】
さらに、この発明は、シャッター全閉時に上下方向に隣り合うパネル同士が接触しないように当該パネル間に隙間を形成するための手段を簡単に形成することができるパネルシャッターを提供することを目的とする。
【００１０】
さらに、この発明は、シャッター全閉位置でパネル相互が横ずれするようなことのないパネルシャッターを提供することを目的とする。
【００１１】
さらに、この発明は、シャッター全閉時のパネル相互間に隙間が生じるようなことのないパネルシャッターを提供することを目的とする。
【００１２】
さらに、この発明は、ガラス面板からなるパネルであっても、そのガラス面板にボルト挿通用の穴あけ加工を必要とせずにパネル保持枠と一体的にユニット化することができてガラス面板本来の強度を保つことができ、ガラス面板の破損を効果的に防止することができるパネルシャッターを提供することを目的とする。
【課題を解決するための手段】
【００１３】
この発明に係るパネルシャッターは、パネル昇降ガイド用開口を有する左右一対のガイドレールと、これらのガイドレール間を昇降する複数のパネルと、前記ガイドレールの上方に配置された左右一対のパネル昇降駆動系のスプロケットと、このスプロケットに噛合して前記ガイドレールの内部に垂下し、前記パネル相互をそれぞれの両側で連繋吊持しているパネル連繋チェーンと、前記ガイドレール間を上昇して前記スプロケット間を通過したパネルを吊持収納する収納レールとを備えたパネルシャッターにおいて、前記各パネルの両側部にパネル保持枠を個々に嵌め込んで両者間を弾性的に接着剤で一体化し、それらのパネル保持枠を前記パネル連繋チェーンに連結すると共に、前記ガイドレール間に下降したパネルの全閉時に前記パネル保持枠の相互が上下方向に当接して前記各パネルの相互は非接触となるように構成したものである。
【００１４】
また、この発明に係るパネルシャッターの各パネル保持枠は、パネル連繋チェーンに吊りローラのローラ軸を介して連結され、ガイドレールのパネル昇降ガイド用開口に臨む縦框と、各パネルの両側部に個々に嵌め込まれて当該パネルに弾性的に接着剤で結合され、前記縦框に前記ガイドレールの外側から止着具で着脱可能に連結されたパネル保持部材とからなっているものである。
【００１５】
さらに、この発明に係るパネルシャッターの各パネル保持枠は、シャッター全閉時に上下方向に隣り合うパネル間に隙間を形成して当該パネル同士を非接触状態に保持するパネル離間保持手段を有しているものである。
【００１６】
さらに、この発明に係るパネルシャッターのパネル離間保持手段は、各パネル保持枠の上下端部の少なくとも一方に突出形成され、上下方向へ隣り合う相手側のパネル保持枠の上下方向の端部に当接する突出部からなっているものである。
【００１７】
さらに、この発明に係るパネルシャッターのパネル離間保持手段は、縦框の上下端部の少なくとも一方端部を当該縦框に連結されたパネル保持部材の上下端部の少なくとも一方端より延ばして形成された突出部からなり、シャッター全閉位置で前記縦框の上下端部の少なくとも一方の前記突出部が、当該縦框と真直状に隣り合う相手側縦框の上下方向の端部に当接することで、上下方向に隣り合うパネル同士が非接触状態に保持されるようになっているものである。
【００１８】
さらに、この発明に係るパネルシャッターの各パネル保持枠は、ガイドレール間でのパネル全閉動作時にガイドレール間で上下方向に隣り合う相手側のパネル保持枠内に嵌入して各パネルのパネル保持枠相互を真直状に合致させる横ずれ防止用のガイド部が設けられているものである。
【００１９】
さらに、この発明に係るパネルシャッターの各パネルには、ガイドレール間を全閉した前記パネルの相互間を封止するシール材が設けられているものである。
【００２０】
さらに、この発明に係るパネルシャッターは、各パネルがガラス面板からなり、接着剤がシリコン系接着剤からなっているものである。
【発明の効果】
【００２１】
この発明によれば、パネルの両側部にパネル保持枠を嵌め込んで両者間を弾性的に接着剤で一体化し、そのパネル保持枠をパネル連繋チェーンに吊持させると共に、パネル全閉時には前記パネル保持枠の相互が当接して前記パネル相互は非接触となるように構成したので、ネジ止めを必要とせずに前記パネルを前記パネル保持枠に弾性的に保持することができ、部品点数が減少して組立作業性が向上すると共に、易破損性のパネルであっても、そのパネルがパネル保持枠と直接接触したりパネル同士が接触するのを防止することができるため、シャッター開閉動作時の衝撃等による前記パネルの破損等を防止できるという効果がある。
【００２２】
また、この発明によれば、パネルの両側部に弾性的に接着剤で嵌着結合されたパネル保持部材をパネル連繋チェーン側の縦框に対してガイドレールの外側から止着具で着脱可能に連結するように構成したので、パネル交換時にはガイドレールの外側から前記止着具による連結を解除するだけで、パネル側のパネル保持部材とパネル連繋チェーン側の縦框とを分離することができ、このため、ガイドレールを取り外すことなく、パネル交換を容易に行うことができるという効果がある。
【００２３】
さらに、この発明によれば、シャッター全閉時に各パネル保持枠のパネル離間保持手段でパネル相互間に隙間が形成されるように構成したので、シャッター全閉時にパネル相互を非接触状態に保持することができ、このため、易破損性のパネルであっても当該パネル同士の接触衝撃に起因したパネルの破損を防止することができるという効果がある。
【００２４】
さらに、この発明によれば、各パネルの上下端部の少なくとも一方端部に、上下方向へ隣り合う相手側のパネル保持枠の上下方向の端部に当接させる突出部を形成するように構成したので、シャッター全閉時に前記突出部で上下方向のパネル相互間に隙間を形成することができ、これによって、易破損性のパネル相互を非接触状態に保持させることができるという効果がある。
【００２５】
さらに、この発明によれば、各パネル保持枠の縦框の上下端部の少なくとも一方端部を、当該縦框に連結されたパネル保持部材の少なくとも一方端より延ばすだけで、シャッター全閉時に上下方向のパネル相互間に隙間を形成させて当該パネル同士を非接触状態に保持するパネル離間保持手段を容易に形成することができると共に、そのパネル離間保持手段によって、易破損性のパネル同士を非接触状態に保持させることができるという効果がある。
【００２６】
さらに、この発明によれば、シャッター全閉状態において、各パネルのパネル保持枠に設けられた横ずれ防止用のガイド部が、ガイドレール間で上下方向に隣り合う相手側のパネル保持枠内に嵌入するように構成したので、シャッター全閉時におけるパネルの横ずれを防止することができいるという効果がある。
【００２７】
さらに、この発明によれば、シャッター全閉時にパネル相互間がシール材で封止されるように構成したので、ガイドレール間でパネル同士が非接触状態に保持されるものでありながら、シャッター全閉状態のパネル相互間に隙間が生じるようなことがないという効果がある。
【００２８】
さらに、この発明によれば、パネルとしてガラス面板を適用する場合においても、そのガラス面板の両側部にパネル保持枠を嵌め込んで両者間をシリコン系接着剤で一体的に結合するように構成したので、ガラス面板にパネル保持枠を締結するためのボルト挿通用の穴あけ加工を必要とせずに前記ガラス面板とパネル保持枠とが直接接触しないように両者を一体的にユニット化することができて、ガラス面板本来の強度を確保することができるガラス面板保持構造を実現できるという効果がある。そのため、従来のように金属製のパネル保持枠にガラス面板が直接当たることによってシャッター開閉動作時の衝撃で前記ガラス面板が破損するというような事態を回避することができるという効果がある。また、前述のように一体的にユニット化されたガラス面板とパネル保持枠との間に介在するシリコン系接着剤は弾力性を有するので、そのシリコン系接着剤によってシャッター開閉動作時の衝撃を吸収することができ、その衝撃に起因したガラス面板の破損をいっそう効果的に防止できるという効果がある。しかも、前記各ガラス面板のパネル保持枠は、シャッター全閉位置で上下方向に隣り合うガラス面板同士を非接触状態に保持するように構成されているので、ガラス面板同士の接触による破損をも確実に防止することができるという効果がある。
【発明を実施するための最良の形態】
【００２９】
実施の形態１．
図１はこの発明の実施の形態１によるパネルシャッターを示す概略的な正面図、図２は図１中のパネル収納部およびパネル昇降駆動系の拡大構成説明図、図３は図１のＡ−Ａ線に沿った拡大断面図、図４は図１中のパネルを示す拡大正面図、図５（Ａ）は図４のパネルの部分的側面図、図５（Ｂ）は図４のＢ−Ｂ線に沿った断面図である。
図１において、１は建物等の構築・構造物におけるシャッター開閉用開口の両側に起立配置された左右一対のガイドレールであり、これらのガイドレール１は、図２および図３に示すように、それぞれの対向面に縦方向のパネル昇降ガイド用開口２を有している。３は前記ガイドレール１間を昇降開閉する複数のパネルであり、これらのパネル３は二枚の強化ガラスを張り合わせて一体結合させたガラス面板からなっており、それらのガラス面板３の両側部にはパネル保持枠４が個々に組み付けられている。そのパネル保持枠４の詳細な構造については後述する。
【００３０】
また、前記ガイドレール１の上部にはパネル収納部５が設けられ、このパネル収納部５には左右のブラケット６，７が配置され、それらのブラケット６，７には、前記両ガイドレール１のそれぞれの上方に位置する左右一対のパネル昇降駆動系のスプロケット８，９（図１および図２参照）が同軸上に配置されており、それらのスプロケット８，９は、開閉機（モータ）１０によって同期回転駆動されるようになっている。そして、前記スプロケット８，９のそれぞれにパネル連繋チェーン１１，１２が噛合しており、それらのパネル連繋チェーン１１，１２によって、前記各ガラス面板３の両側部に組み付けられたパネル保持枠４が吊持されている。また、前記パネル収納部５には、前記スプロケット８，９間をパネル収納方向に通過したガラス面板３を吊持収納する左右一対の収納レール１３，１４（図２参照）が水平方向に配置されている。さらに、前記パネル収納部５におけるパネル出入口付近にはパネル下部ガイド部材１５，１６が配置されている。
【００３１】
ここで、前記パネル保持枠４の詳細な構造について説明する。
図３に示すように、前記パネル保持枠４は、前記ガイドレール１のパネル昇降ガイド用開口２に昇降自在に嵌め込まれる縦框４１と、この縦框４１とは別に形成されて当該縦框４１に着脱可能に取り付けられるパネル保持部材４２とからなっている。前記縦框４１は、ガラス面板３側が開放され、その開放端側に幅狭方向へ傾斜するテーパ片部４１ａを一体に有する横断面中空柱状のフレーム部材からなっている。また、前記縦框４１の背面側上部にはピン挿入筒４３が一体に設けられ、このピン挿入筒４３には前記パネル連繋チェーン１１，１２に取り付けられたロングピン（後述する吊りローラ１８のローラ軸）１７が挿脱可能に挿入されている。したがって、前記縦框４１はロングピン１７を介してパネル連繋チェーン１１，１２に吊持されている。なお、前記ロングピン１７はパネル連繋チェーン１１，１２のチェーンリンクピンを兼ねるもので、そのロングピン１７には、前記収納レール１３，１４上を転動させるための吊りローラ１８が回転自在に取り付けられている。また、前記縦框４１の背面側下部にはローラ支持ブラケット４４を介して下部ガイドローラ４５が回転自在に取り付けられている。この下部ガイドローラ４５は前記パネル下部ガイド部材１５，１６に沿ってガラス面板３の下部を所定の移動方向に誘導させるためのものである。
【００３２】
一方、前記パネル保持部材４２は、前記ガラス面板３の肉厚よりも幅広の横断面コ字形状をなしており、そのパネル保持部材４２の背面側には、前記縦框４１のテーパ片部４１ａの外側に当接させる横断面ハ字形状のテーパ片部４２ａが一体に設けられている。このようなパネル保持部材４２はコ字状部が前記ガラス面板３の両側部に間隙を存して嵌め込まれ、そのパネル保持部材４２のコ字状部内側全面と、前記パネル保持部材４２のコ字状部内に対するガラス面板３の挿入部全面とを弾性的に接着剤５０で結合させることによって、前記パネル保持部材４２とガラス面板３とが一体的にユニット化されているものである。前記接着剤５０としてはシリコン系接着剤が適用され、このシリコン系接着剤５０は前記パネル保持部材４１とガラス面板３との間に注入され、その硬化後に弾性が得られるという特性を有している。なお、前記シリコン系接着剤５０は予め横断面コ字形状に成形されたものを前記パネル保持部材４２のコ字状部内側全面に圧着結合させておき、そのシリコン系接着剤５０の成形物に前記ガラス面板３の両側部を圧入嵌着させて前記パネル保持部材４２とガラス面板３とを一体的にユニット化することも可能である。
【００３３】
以上において、両ガイドレール１の内部にパネル昇降駆動系のスプロケット８，９から垂下するパネル連繋チェーン１１，１２に上述のようにロングピン１７を介して組み付け吊持された縦框４１は前記両ガイドレール１のパネル昇降ガイド用開口２に昇降自在に嵌め込まれ、その嵌め込み状態では前記縦框４１のテーパ片部４１ａが前記パネル昇降ガイド用開口２からガイドレール１の外側に突出した露出状態となる。そこで、上述のようにガラス面板３の両側部にシリコン系接着剤５０で一体的にユニット化されたパネル保持部材４２のテーパ片部４２ａを前記縦框４１のテーパ片部４１ａの外側に当接し、それらのテーパ片部４１ａ，４２ａ同士を止着具である止めネジＮ１で締め付けて連結固定することにより、各ガラス面板３がパネル連繋チェーン１１，１２に吊持されるように組み付けられる。なお、前記止着具Ｎ１は止めネジに特定されるものではなく、リベットやピンなど前記縦框４１とパネル保持部材４２とを着脱可能に連結できるものであればよい。
【００３４】
また、前記パネル保持枠４には、シャッター全閉時に上下方向に隣り合うガラス面板３間に隙間を形成して当該ガラス面板３同士を非接触状態に保持するためのパネル離間保持手段４１ｂ（図４参照）が設けられている。このパネル離間保持手段４１ｂは、図示例において、各ガラス面板３毎の縦框４１に連結されたパネル保持部材４２の下端から下方へ僅かな長さだけ延びるように形成されている。このようにパネル保持部材４２の下端から更に下方へ延びるパネル離間保持手段４１ｂは、前記縦框４１の下端に一体形成された内向きフランジ部からなっており、そのフランジ部４１ｂ上に前記パネル保持部材４２の下端がシリコン系接着剤５０を介して当接した状態となっている。したがって、シャッター全閉時には各ガラス面板３両側部の縦框４１下端の前記フランジ部４１ｂが、その下方で当該縦框４１と真直状に隣り合う下位縦框４１の上端に当接することにより、ガイドレール１間で上下方向に隣り合うガラス面板３同士が非接触状態に保持されるようになっている。
【００３５】
また、前記各縦框４１の上端部には、シャッター全閉動作時にガイドレール１に沿って下降してくるガラス面板３の縦框４１の下端側から当該縦框４１に内部に嵌入させる横ずれ防止用のガイド部（図５（Ａ）に示すガイド片部）４６が一体的に設けられている。さらに、前記各ガラス面板３の上端部にはシール材４７が一体的に設けられている。このシール材４７は、図示例において、シャッター全閉時にガラス面板３の相互間で圧縮されてガラス面板３の相互間を封止する透明なチューブ状に弾性部材からなっているが、シャッタ全閉時のガラス面板３間を封止できるものであればよい。
【００３６】
なお、図１において、１９は開閉機１０を正逆回転起動させるためのスイッチ、２０はガイドレール１間における最下位のガラス面板３の下端部に上下動可能に組み付けられた座板であり、この座板２０は接地時や異物等を挟み込んだ際に前記最下位のガラス面板３に対して上昇することで図示省略のリミットスイッチをＯＮして開閉機１０を自動的に停止させるものである。
【００３７】
次に動作について説明する。
ガイドレール１間をガラス面板３が全閉している状態において、開閉機１をシャッター開方向に起動させると、パネル昇降駆動系のスプロケット８，９が図２中で時計回り方向に回転駆動されることにより、それらのスプロケット８，９に噛合したパネル連繋チェーン１１，１２を介して前記ガイドレール１間のガラス面板３が上昇し、前記スプロケット８，９間を通過したガラス面板３は、その上部両側の吊りローラ１８が収納レール１３，１４上に移行する。その収納レール１３，１４上に移行したガラス面板３は後続のガラス面板３で押されることにより、前記収納レール１３，１４上では各ガラス面板３が並列状態に吊持収納される。
【００３８】
このような収納状態から開閉機１０をシャッター閉方向に起動されると、スプロケット８，９が図２中で反時計回り方向に回転駆動されることにより、収納レール１３，１４で吊持されたガラス面板３が前記収納レール１３，１４に沿ってスプロケット８，９の方向に横移動し、それらのスプロケット８，９間を通過したガラス面板３はガイドレール１に沿って順次下降する。そして、最下位のガラス面板３が接地した後、当該ガラス面板３上に次のガラス面板（次位のガラス面板という）３が降りてくる。このとき、最下位ガラス面板３の縦框４１の上端から突出しているガイド片部４６が次位のガラス面板３の縦框４１の下端内部に嵌入する。これにより、最下位のガラス面板３と次位のガラス面板３とが真直状に嵌合連結された状態となって当該ガラス面板３相互の横ずれが防止される。このように最下位のガラス面板３と次位のガラス面板３とが嵌合された状態では、次位のガラス面板３における縦框４１の下端フランジ部（パネル離間保持手段）４１ｂが最下位のガラス面板３の縦框４１の上端に当接する。このようにして、ガイドレール１間で上下方向に真直状に隣り合うガラス面板３の相互は、前記フランジ部４１ｂの厚み分だけ離れた状態となる。したがって、前記各ガラス面板３は、それらの相互が非接触状態に保持される。また、前記各ガラス面板３の相互間では弾性シール材４７が圧縮された状態となって、当該弾性シール材４７で前記ガラス面板３相互間の隙間が塞がれる。
【００３９】
以上説明した実施の形態１によれば、ガラス面板３の両側に組み付けるパネル保持部材４２のコ字状内面の全面と、そのコ字状内部に対する前記ガラス面板３の挿入部全面とをシリコン系接着剤５０によって弾性的に一体化するように構成したので、ネジ止めを必要とせずにガラス面板３の両側部にパネル保持部材４２を一体的に組み付けることができ、前記ガラス面板３の上下に横框を組み付ける必要がないので、部品点数の減少が図れ、組立作業性が向上すると共に、左右のガイドレール１間にはガラス面板３だけを表出させることができるという効果がある。特に、各ガラス面板３とパネル保持部材４２との間にシリコン系接着剤５０層が介在し、前記ガラス面板３がパネル保持部材４２に直接当たらないので、前記パネル保持部材４２が金属であっても、そのパネル保持部材４２とガラス面板３とを非接触状態に保持することができ、それら両者の接触に起因したガラス面板３の破損を防止することができ、かつ、前記シリコン系接着剤５０特有の弾性作用によって衝撃を吸収することができるという効果がある。
【００４０】
また、シャッター全閉時のガラス面板３を非接触状態に保持できるという効果もある。すなわち、ガラス面板３の両側に嵌着されて左右のパネル連繋チェーン１１，１２に吊持されたパネル保持枠４には、シャッター全閉時に上下方向へ隣り合うガラス面板３間に隙間を形成して当該ガラス面板３同士を非接触状態に保持させるためのパネル離間保持手段４１ｂが設けられていることにより、シャッタ全閉時にはガラス面板３同士を非接触状態に保持することができ、当該ガラス面板３同士の接触による破損を防止できるという効果がある。しかも、前記パネル離間保持手段４１ｂは、各パネル保持枠４の縦框の４１の下端部を、当該縦框４１に連結されたパネル保持部材４２の下端より下方に延ばすだけで簡単に形成できるという効果がある。さらに詳しく説明すると、前記パネル離間保持手段４１ｂは、パネル保持枠４の縦框４１を、これに組み付けられたパネル保持部材４２の下端よりも下方へ適度（僅か）に長く延ばすことで形成された突出片部からなり、このような縦框４１の下向き突出片部の下端が、その下方に隣り合う縦框４１の上端に当接することで、シャッター全閉時に上下方向へ隣り合うガラス面板３間に隙間が形成されることにより、当該ガラス面板３同士を非接触状態に保持できるというものである。
【００４１】
さらに、前記縦框４１の上端には、シャッター全閉動作時に、その縦框４１の上端部に下降してくる他の縦框４１の下側内部に嵌入させる横ずれ防止用のガイド部４６を設けるように構成したので、シャッター全閉位置でのガラス面板３相互の横ずれを防止することができるという効果がある。さらに、前記各ガラス面板３の上端には透明なチューブ状のシール材４７を一体的に設け、シャッター全閉時にガラス面板３の相互間で前記シール材４７が圧縮されてガラス面板３の相互間を封止するように構成したので、シャッター全閉時にガラス面板３の相互間に隙間が生じることを防ぎ、しかも、前記シール材４７をガラス面板３と同様の透明素材で形成しているため、シャッター全閉時にガラス面板３特有の外観が損なわれるようなこともないという効果がある。
【００４２】
さらには、前記パネル連繋チェーン１１，１２で吊持された縦框４１がガイドレール１のパネル昇降ガイド用開口２に昇降自在に嵌め込まれ、その縦框４１にガラス面板３側のパネル保持部材４２がガイドレール１の外側から止着具である止めネジＮ１で着脱可能に締め付けることにより連結固定されているので、ガラス面板３の破損等による交換に際してはガイドレール１を取り外すことなく前記止着具Ｎ１を取り外すだけでガラス面板３の交換を容易に行うことができるという効果がある。しかも、前記縦框４１とパネル保持部材４２のそれぞれには前記パネル昇降ガイド用開口２の付近で同一方向に傾斜するテーパ片部４１ａ，４２ａが設けられ、それらのテーパ片部４１ａ，４２ａ相互をガイドレール１の外側から前記止めネジＮ１で着脱可能に連結するように構成したので、前記縦框４１とパネル保持部材４２の脱着作業を容易に手際よく行うことができるという効果がある。
【００４３】
実施の形態２．
図６はこの発明の実施の形態２によるパネルシャッターの要部を示す断面図である。
この実施の形態２では、上記実施の形態１によるパネルシャッターにおいて、ガイドレール１から露出しているパネル保持枠４の露出部、当該パネル保持枠４を構成している縦框４１とパネル保持部材４２の止着具である止めネジＮ１による連結部、および前記パネル保持部材４２の全体を覆うカバー部材４９を前記ガイドレール１の側面に止着具である止めネジＮ２で着脱可能に取り付けたものである。このように、前記パネル保持枠４の露出部全体をカバー部材４９で覆うことにより、そのカバー部材４９が取り付けられたガイドレール１間ではガラス面板３しか露出せず、前記縦框４１とパネル保持部材４２とを連結している前記止着具Ｎ１が濫りに取り外されるようなこともないという効果がある。
【００４４】
実施の形態３．
上記実施の形態１では、各ガラス面板３の両側部とパネル保持部材４２とを、シリコン系の接着剤５０のみで弾性的に一体化する構成としたが、弾性を有するスポンジやゴム等の緩衝材を前記各ガラス面板３の両側部とパネル保持部材４２との間に介在させて両者を前記接着剤５０で弾性的に一体化してもよく、この場合も同様の効果が得られる。
【００４５】
実施の形態４．
上記実施の形態１では、パネル離間保持手段４１ｂをパネル保持枠４の縦框４１の下端部に形成する場合について説明したが、前記パネル離間保持手段４１ｂは、前記縦框４１の上端部に形成してもよく、当該縦框４１の上下端部の少なくとも一方端部に形成されていればよく、いずれの場合も上記実施の形態１と同様の効果が得られる。
【００４６】
なお、上記実施の形態１において、ガラス面板３の表面にフィルムを貼る等すれば、万一、ガラス面板３が破損した際の弊害を最小限に抑えることができる。また、上記実施の形態１，２では、ガラス面板３をパネルとして適用した場合について説明したが、前記ガラス面板３は樹脂板等に置き換えることも可能である。また、前記縦框４１およびパネル保持部材４２は上述した図示の形状に特定されるものではない。
【図面の簡単な説明】
【００４７】
【図１】この発明の実施の形態１によるパネルシャッターを示す概略的な正面図である。
【図２】図１中のパネル収納部およびパネル昇降駆動系の拡大構成説明図である。
【図３】図１のＡ−Ａ線に沿った拡大断面図である。
【図４】図１中のパネルを示す拡大正面図である。
【図５】図５（Ａ）は図４のパネルの部分的側面図、図５（Ｂ）は図４のＢ−Ｂ線に沿った断面図である。
【図６】この発明の実施の形態２によるパネルシャッターの要部を示す断面図である。
【符号の説明】
【００４８】
１  ガイドレール
２  パネル昇降ガイド用開口
３  パネル（ガラス面板）
４  パネル保持枠
５  パネル収納部
６，７  ブラケット
８，９  パネル昇降駆動系スプロケット
１０  開閉機（モータ）
１１，１２  パネル連繋チェーン
１３，１４  収納レール
１５，１６  パネル下部ガイド部材
１７  ロングピン（ローラ軸）
１８  吊りローラ
１９  スイッチ
２０  座板
４１  縦框
４１ａ  テーパ片部
４１ｂ  パネル離間保持手段
４２  パネル保持部材
４２ａ  テーパ片部
４３  ピン挿入筒
４４  ローラ支持ブラケット
４５  下部ガイドローラ
４６  ガイド部（ガイド片部）
４７  シール材
４９  カバー部材
Ｎ１，Ｎ２  止めネジ（止着具）
【図１】
2005344287.tif 000003
【図２】
2005344287.tif 000004
【図３】
2005344287.tif 000005
【図４】
2005344287.tif 000006
【図５】
2005344287.tif 000007
【図６】
2005344287.tif 000008